(57)【要約】【課題】頭部周囲の浮遊塵埃及び半浮遊塵埃を除去し清浄化する空気清浄装置を提供すること。【解決手段】就寝者１１の頭部後方に配置される本体部１０と、本体部１０に内蔵される送風手段１２と、本体部１０に内蔵される気流清浄化手段１３と、本体部１０に構成され清浄化気流１６を吹き出す吹き出し口１４と、本体部１０に構成される吹き出し口１４と、就寝者１１の頭部上方を覆うように本体部１０に取り付けられるカバー部１７とを備え、清浄化気流はカバー部１７の内側壁面に沿って吹き出される構成とする。これにより、粒子の大きい半浮遊塵埃２３が就寝者１１の頭部周囲に落下することを、カバー部１７によって防止できる一方、粒子の小さい浮遊塵埃２２が頭部周囲へ侵入することを、エアカーテン状の清浄化気流１６によって防ぐことができる。【選択図】図１
2011242096.tif 000002
【特許請求の範囲】
【請求項１】
就寝者の頭部後方に配置される本体部と、前記本体部に内蔵される送風手段と、前記本体部に内蔵される気流清浄化手段と、前記本体部に構成され清浄化気流を吹き出す吹き出し口と、前記本体部に構成される吸い込み口と、前記就寝者の頭部上方を覆うように前記本体部に取り付けられるカバー部とを備え、前記清浄化気流は前記カバー部の内側壁面に沿って吹き出される構成とした空気清浄装置。
【請求項２】
前記カバー部は、天頂部から底面側で就寝者の頭部へ向けて開口した開口面端部までの内部壁面を段差のない滑らかな曲線形状で構成された請求項１に記載の空気清浄装置。
【請求項３】
前記カバー部は、略半球形状で構成された請求項１および２に記載の空気清浄装置。
【請求項４】
前記吹き出し口の取り付け位置は、カバー部内面の最も上方に位置するカバー内部の天頂部からカバー部の底面側で就寝者の頭部へ向けて開口した開口面端部に沿って吹き出す位置に構成された請求項１〜３のいずれか１項に記載の空気清浄装置。
【請求項５】
前記本体部には、イオン発生機能、加湿機能、芳香機能のうち少なくとも１つの機能を発生させることを有した請求項１〜４のいずれか１項に記載の空気清浄装置。
【発明の詳細な説明】
【技術分野】
【０００１】
本発明は、気流を発生させ室内の局所的な空間を清浄化する空気清浄装置に関するものである。
【背景技術】
【０００２】
従来、この種の空気清浄装置としては、ベッドの頭側に設けられた吹き出し部からベッド上に清浄化気流を発生させ、就寝者の頭部周囲を清浄化しているものがあった（例えば特許文献１参照）。
【０００３】
図３において、空気清浄装置はベッド部１の頭側からベッド部１の下方にわたって本体部２が構成されており、本体部２の内部には送風手段３（図示せず）と気流清浄化手段４（図示せず）が配置されている。本体部２には吸い込み部５が設けられており、本体部２のベッド部１の頭側には吹き出し部６が設けられている。本体部２に内臓される気流清浄化手段４（図示せず）によって塵埃を除去された空気は清浄化気流７として吹き出し部６から吹き出される。清浄化気流７はベッド部１上の就寝者８の頭部に向けて流される。就寝者８の頭部周囲の浮遊塵埃は清浄化気流７によって足側へと運ばれ就寝者８の頭部周囲は清浄化される。
【０００４】
また気流清浄化手段４では塵埃を除去すると同時に温湿度の調整やマイナスイオンの付加や芳香の付加といった空質の調整が行われる。空質が調整された清浄化気流７が就寝者８の頭部に当たり、同時に呼吸によって就寝者８に吸引されるため就寝者８の快適性が高められる。
【先行技術文献】
【特許文献】
【０００５】
【特許文献１】特開２０００−１７１０６７号公報
【発明の概要】
【発明が解決しようとする課題】
【０００６】
しかしながら、従来の空気清浄装置では、長時間浮遊し気流に乗りやすい浮遊塵埃を就寝者の頭部周囲から取り除くことはできるが、例えば花粉のように粒子が大きく気流に乗りにくいため落下しやすい半浮遊塵埃を取り除くには、清浄化気流の吹き出し口と半浮遊塵埃との距離が離れているため、吹き出しの清浄化気流を強めなければならないという課題を有していた。
【０００７】
例えば、睡眠中の就寝者が花粉などの塵埃を吸引しアレルギー反応によって目が覚めてしまうことを防いだり、また例えば副交感神経が優位であるためアレルギー反応が過剰になる目覚めの瞬間に花粉などの塵埃の吸引を防いだりするためには、浮遊塵埃だけでなく半浮遊塵埃まで就寝者の頭部周囲いわゆる顔表面の鼻や口から取り除く必要があるが、強められた清浄化気流は、吹き出し口と浮遊塵埃および半浮遊塵埃との距離があるため、吹き出された清浄化気流が目的の浮遊塵埃および半浮遊塵埃を吹き飛ばすまでに、拡散してしまい、本来、清浄化気流を当てる必要のない睡眠中の就寝者の顔表面および鼻や口に清浄化気流があたることで就寝者は不快に感じ睡眠が妨げられるという課題を有していた。
【０００８】
そのため、吹き出しの清浄化気流は、就寝者の睡眠を妨げない微風で吹き出すしか方法がなかったが、微風の吹き出しため、吹き出しとの距離が長い半浮遊塵埃を吹き飛ばすことが難しいという課題を有していた。またマスクなどを身につけることで就寝者が浮遊塵
埃と半浮遊塵埃の吸引を防ぐこともできるが、マスクを身につけること自体が不快で睡眠が妨げられるという課題を有していた。
【０００９】
また、空質を調整された清浄化気流は、就寝者の頭部周囲から足側へとすぐに流れてしまい、それと同時に清浄化気流は周囲の空気と交じり合うことで空質が元の状態へと戻っていくため、気流清浄化手段で空質の調整を行っても、就寝者の頭部周囲の空質は大きく変化せず快適性を高め難いという課題を有していた。
【００１０】
また、一般に市販されている従来の空気清浄装置は部屋全体を清浄化することが目的であり、部屋全体の清浄化用に適した気流になっている。就寝者の周囲を局所的に清浄化するには、局所的な清浄化気流流れを作るのが難しいという課題を有していた。また、部屋全体を清浄化するために、局所的な清浄化に比べエネルギーが増大し、コストが上昇してしまうという課題を有していた。
【００１１】
本発明は、上記従来の課題を解決するもので、就寝者の睡眠を妨げることなく、頭部周囲の浮遊塵埃及び半浮遊塵埃を除去し清浄化する空気清浄装置を提供することを目的とする。
【課題を解決するための手段】
【００１２】
前記従来の課題を解決するために、本発明の空気清浄装置は、就寝者の頭部後方に配置される本体部と、前記本体部に内蔵される送風手段と、前記本体部に内蔵される気流清浄化手段と、前記本体部に構成され清浄化気流を吹き出す吹き出し口と、前記本体部に構成される吸い込み口と、前記就寝者の頭部上方を覆うように前記本体部に取り付けられるカバー部とを備え、前記清浄化気流は前記カバー部の内側壁面に沿って吹き出される構成としたとしたものである。
【００１３】
これによって、就寝者の頭部の上方に頭部上方を覆うようにカバー部を設けることで、半浮遊塵埃が就寝者の頭部周囲あるいは顔表面の鼻や口に落下することを防ぐことができる。また、清浄化気流をカバー部の内側壁面に沿って吹き出されることで、清浄化気流は流体の曲面形状に沿って流れるコアンダ効果と緩やかな吹き出し気流により、カバー部の内側壁面に沿った層流となる。
【００１４】
層流となった清浄化気流は、カバー部の壁面に沿ったまま底面側で就寝者の頭部へ向けて開口した開口面より吹き出され、就寝者の頭部付近に層流状の緩やかなエアカーテン状の流れ。カバー内側側面から流れ出るエアカーテンはであるために、上方のカバー部で防ぎきれなかった浮遊塵埃が頭部周囲に近づくが、すべてエアカーテン状の清浄化気流の流れにのり、就寝者の頭部付近に近づくことができない。
【００１５】
浮遊塵埃は気流に乗りやすいためこの清浄化気流に乗って就寝者の頭部周囲から離すことができる。このため清浄化気流はカバー壁面に沿ったエアカーテン状で緩やかな流れを作っているため、強い清浄化気流が就寝者の顔表面に当たって就寝者の睡眠が妨げられることなく就寝者の頭部周囲を清浄化保護できる。以上により、粒子径が大きい半浮遊塵埃は、就寝者の頭部上方に設置したカバーで顔表面への落下を防止し、長時間浮遊し気流にのりやすい浮遊塵埃は、カバーの内側壁面に沿って吹き出される層流状の緩やかなエアカーテン気流により、就寝者の頭部付近への侵入を防止することにより、就寝者の頭部付近の空気清浄度は保護確保され、快適性を高めることができる。
【発明の効果】
【００１６】
本発明の空気清浄装置は、強い清浄化気流を発生させる必要が無いため就寝者の睡眠を妨げることがなく、就寝者の頭部周囲の空気清浄度を保護確保し就寝者の快適性を高める
ことができる。
【図面の簡単な説明】
【００１７】
【図１】本発明の実施の形態１における空気清浄装置の斜視図
【図２】本発明の実施の形態１における空気清浄装置の側面図
【図３】従来の空気清浄装置の外観構成を模式的に示す正面図
【発明を実施するための形態】
【００１８】
第１の発明は就寝者の頭部後方に配置される本体部と、前記本体部に内蔵される送風手段と、前記本体部に内蔵される気流清浄化手段と、前記本体部に構成され清浄化気流を吹き出す吹き出し口と、前記本体部に構成される吸い込み口と、前記就寝者の頭部上方を覆うように前記本体部に取り付けられるカバー部とを備え、前記清浄化気流は前記カバー部の内側壁面に沿って吹き出される構成としたとすることにより、カバー部によって粒子が大きく落下しやすい半浮遊塵埃が就寝者の頭部周囲に落下することを防ぐことができる。一方、粒子が小さく質量が軽い浮遊塵埃は、気流にのりやすく、長時間浮遊するため、カバー内部壁面に沿ってコアンダ効果と緩やかな吹き出しによるエアカーテン状の層流状の清浄化気流によって、就寝者の顔表面へ近づくことができず、吹き飛ばされるため、就寝者の頭部周囲への侵入を防ぐことができる。
【００１９】
第２の発明は、特に、第１の発明の空気清浄装置の前記カバー部形状は、天頂部から底面側で就寝者の頭部へ向けて開口した開口面端部までの内部壁面を段差のない滑らかな曲線形状で構成とすることにより、カバー内部壁面に沿ってエアカーテン状で吹き出される層流状の清浄化気流は、段差のない滑らかな曲線形状により、流体は段差部や急な曲げがあると壁面から剥離し、乱流状態となる。乱流状態となった気流は、気流の方向や流速を制御することが難しくなり、均一なエアカーテン状の気流を形成できなくなる。段差のないなめらかな曲線形状のカバー部品にすることにより、段差や曲線形状の影響を受けにくい、剥離しにくい気流を形成することができる。よりエアカーテン状の層流気流を就寝者の頭部周囲へ吹き出すことができ、就寝者の頭部周囲を浮遊塵埃からの保護することができる。
【００２０】
第３の発明は、特に、第１または第２の発明の空気清浄装置のカバー部形状を前記カバー部は、略半球形状で構成とすることにより、よりいっそう剥離のしにくいエアカーテン状の層流気流を就寝者の頭部周囲へ吹き出すことができ、就寝者の頭部周囲を浮遊塵埃からの保護することができる。
【００２１】
第４の発明は、特に、第１〜３のいずれか１つの発明の空気清浄装置の吹き出し口の取り付け位置は、カバー部内面の最も上方に位置するカバー内部の天頂部からカバー部の底面側で就寝者の頭部へ向けて開口した開口面端部に沿って吹き出す位置に構成とすることにより、吹き出し口とカバーの内側壁面との距離が遠いと吹き出された気流はカバー内側壁面に到達するまでに拡散し、乱流化してしまうため、気流の流速、風向の制御が難しくなり、気流のロスが大きくなる。しかし、天頂面は吹き出し口に最も近いカバー内側壁面であり、本体部の吹き出し口をカバー天頂面に近づけることにより、清浄化気流は吹き出した直後からカバー天頂面から開口した開口面端部へとコアンダ効果により、気流を沿って流れることとなり、よりエアカーテン状の層流気流を就寝者の頭部周囲へ吹き出すことができ、就寝者の頭部周囲を浮遊塵埃からの保護することができる。
【００２２】
第５の発明は、特に、第１〜４のいずれか１つの発明の空気清浄装置の前記本体部には、イオン発生機能、加湿機能のうち少なくとも１つの機能を発生させることを有することにより、就寝者に送風する清浄化空気は、フィルタ部により、清浄化された気流に加湿機能やイオン発生機能を付加機能として追加することにより、就寝者へより清浄化した空気
を送風することが出来、就寝者の快適性をより向上させることが可能となり、就寝者の周囲の空間を清浄に保つことが出来る。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における空気清浄装置の斜視図を示すものである。図２は、同じく本実施の形態１における空気清浄装置を設置した場合の側面断面図の一例を示すものである。本発明の空気清浄装置は、図１および図２に例示して示すように、床上に直に敷き布団を使用し就寝する場合に限定しておらず、既設のベッドへの後付けで設置することも可能である。また、ベッド一体型で構成も可能であり、各部の機能においては、同様に構成できるものである。また、設置固定が必ずとも必要ではないため、使用場所により、持ち運び等も可能であり、各部の機能においては、同様に構成できるものである。
【００２５】
図１において、布団２５には、空気清浄装置が設置使用されている状況の一例を例示している。
布団２５に就寝者１１が横臥状態で就寝し空気清浄装置を使用している。空気清浄装置は本体部１０を有しており、本体部１０は就寝者１１の頭側後方に配置されている。本体部１０には送風手段１２（図示せず）と気流清浄化手段１３（図示せず）が配置されている。本体部１０の正面に吹き出し口１４が設けられており、本体部１０の背面には吸い込み口１５（図示せず）が設けられている。吹き出し口１４からは清浄化気流１６が就寝者１１の頭部周囲に向けて吹き出されている。
【００２６】
本体部１０の正面側にはカバー部１７が設けられている。カバー部の材料は、一般に使用されている樹脂材料を使用しており、本実施の形態では、アクリル材の透明な樹脂を使用している。
【００２７】
吹き出し口１４はカバー部１７の内面に対向するように設けられており、吹き出し口１４は本体部１０の上方でありカバー部１７天頂部近くに設けている。吹き出し口１４より吹き出された清浄化気流１６はカバー部１７の天頂部内側壁面に沿って流れるように吹き出されている。カバー部１７は底面側で就寝者１１の頭部へ向けて開口しており、カバー内側壁面を伝った清浄化気流が開口面壁面の全体から清浄化気流１６がエアカーテン状に層流として流れ出ている。
【００２８】
図２は、本発明の実施の形態１における空気清浄装置の側面断面図を示すものである。図２において、カバー部１７は横たわった就寝者１１の頭部上方を覆うように配置されており、花粉などのアレルゲンと接触することでアレルギー反応を起こす就寝者１１の目、鼻、口を含めた頭部全体は、上方から見るとカバー部１７の陰に隠れた状態になっている。
【００２９】
本体部１０には送風手段１２と気流清浄化手段１３が配置されている。本体部１０の正面に吹き出し口１４が設けられており、本体部１０の背面には吸い込み口１５が設けられている。吹き出し口１４からは清浄化気流１６が吹き出されている。
【００３０】
カバー部１７はカバー部の天頂部から底面側で就寝者の頭部へ向けて開口した開口面端部までの内部壁面を段差のない滑らかな曲線形状で構成されており、カバー部１７部品単体としては、略半球状の形状をした部品で構成されている。なお、カバー部１７は、段差のない滑らかな曲線形状をしていれば、清浄化気流１６の剥離を抑え、層流化してエアカ
ーテンを形成するものである。カバー部１７は、一体の部品である必要はなく、単一部品である必要が必ずしも必要ではない。複数の部品で構成されていても、段差のない滑らかな曲線形状を形成していれば構わないものである。
【００３１】
また、カバー部１７の材質についても、滑らかな曲線形状を形成していればよく、本実施の形態では、樹脂部品を使用した例示を示しているが、本発明がアクリル等の樹脂部品に限定されるものではなく、アルミ系部品や鉄系部品、あるいは銅部品、あるいはカーボン系の炭素繊維素材等、滑らかな形状を保持できるものであれば構わないものであり、本発明の性能が変化するものではない。
【００３２】
吹き出し口１４の取り付け位置は、カバー部１７内面の最も上方に位置するカバー部１７内部の天頂部１９からカバー部１７の底面側２０で就寝者１１の頭部へ向けて開口した開口面端部に沿って吹き出す位置に構成としている。吹き出し口１４から吹出された清浄化気流１６はカバー部１７の内側壁面に沿って流れるエアカーテン２１状の層流気流が発生している。またカバー部１７の周囲には浮遊塵埃２２が浮遊している。同時にカバー部１７の上方からは半浮遊塵埃２３が落下しつつある。
【００３３】
以上のように構成された空気清浄装置について、以下その動作、作用を説明する。まず、就寝者１１は布団２５の上に横臥状態で滞在している。空気清浄装置を手動で起動させると、送風手段１２が動作する。このとき本実施の形態では、就寝者１１や第三者が手動で操作することで空気清浄装置の起動設定する構成としているが、就寝者１１の布団２５の横臥状態になった在床状態を確認するような状態を空気清浄装置の本体部１０に設置した内部に複数素子からなる赤外線センサ郡と、赤外線センサ前面の多焦点を有するように設計した多角形フレネルレンズなどから構成し、布団２５内の就寝者１１の寝位状態や在床状態の判別や頭部の位置などを人感センサで検知して自動的に起動・停止および設定を行う構成としても構わない。
【００３４】
なお、人感センサは、赤外線センサに限らず、超音波センサや光反射型距離センサ、画像センサなど、原理を限定するわけではなく、他の原理のセンサを用いて構成しても構わないものである。
【００３５】
カバー部１７は就寝者１１の頭部上方を覆っているため、就寝者１１の頭部周囲に落下しようとする半浮遊塵埃２３はカバー部１７の外面に当たるため、半浮遊塵埃２３が就寝者１１の頭部周囲および顔表面の鼻や口に落下することはなくなる。
【００３６】
一方、送風手段１２によって吸い込み口１５から空気が吸引され、その空気は気流清浄化手段１３で清浄化された後に吹き出し口１４から清浄化気流１６として、天頂部１９から底面側２０で就寝者の頭部へ向けて開口した開口面端部までの内部壁面を段差のない滑らかな曲線形状で構成されたカバー部１７のカバー内部壁面に沿ってエアカーテン２１状の層流で吹き出される。流体は段差部や急な曲げがあると壁面から剥離し、乱流状態となる。乱流状態となった気流は、気流の方向や流速を制御することが難しくなり、均一なエアカーテン状の気流を形成できなくなる。合わせて、急な曲げや絞り、拡大をすることは、流体のエネルギーをロスすることになる。そのため、段差のない滑らかな曲線形状で形成されたカバー部１７は、部品形状の影響による剥離しにくく、エネルギーロスの少ない気流を形成することが可能である。
【００３７】
また、吹き出し口１４とカバー部１７の内側壁面との距離が遠い位置から吹き出された清浄化気流１６はカバー部１７内側壁面付近に到達するまでに流体の噴流の性質から空気抵抗や吹き出し状態により拡散し、乱流化してしまうため、清浄化気流１６の流速、風向を制御が難しくなり、エアカーテン２１状の層流制御ができない。気流のエネルギーロス
は増大するため、就寝者１１の頭部周囲を保護することができなくなる。
【００３８】
しかし、天頂部１９は吹き出し口１４に最も近いカバー部１７内側壁面であり、本体部の吹き出し口１４をカバー部１７の天頂部１９に近づけることにより、清浄化気流１６は、吹き出し口１４から吹き出した直後からカバー部１７の天頂部１９の内部壁面に沿って流れ、天頂部１９から底面側２０の開口した開口面端部へと、流体の部品表面形状に沿って流れるコアンダ効果により、気流はカバー部１７の内部壁面を沿って流れることができる。カバー部１７の内部壁面を沿って流れた清浄化気流１６は、エアカーテン２１状の層流気流を形成する。エアカーテン２１状の層流気流を就寝者１１の頭部周囲および顔表面の鼻や口へ向かって吹き出される。
【００３９】
これらカバー部１７の内側壁面に沿って流れ、エアカーテン２１状の層流となった清浄化気流１６は、カバー部１７の底面側２０の開口面全体から流速の緩やかなエアカーテン２１の気流として流れ出る。浮遊塵埃２２は比較的粒子径の小さい塵埃である。たとえば、ウイルスやアレルゲン物質の粒子径の小さいものは、質量が軽いため、落下することなく長時間浮遊し、就寝者１１の呼吸の気流や、近年の住宅の換気システムの気流によるわずかな流速の小さい微風な気流にのって就寝者１１の頭部周囲に近づこうとする。
【００４０】
しかし、清浄化気流１６は開口面全体から流れるエアカーテン２１状の気流となっているため就寝者１１の頭部周囲に近づく浮遊塵埃２２は全て清浄化気流１６に衝突する。浮遊塵埃２２は質量が軽いことから気流に乗りやすいため、この清浄化気流１６の流れにより就寝者１１の頭部周囲から離れる。よって、カバー部１７内部壁面に沿ってコアンダ効果と緩やかな吹き出しによるエアカーテン２１状の層流状の清浄化気流１６によって、就寝者１１の頭部周囲の顔表面へ近づくことができず、吹き飛ばされるため、就寝者１１の頭部周囲への侵入を防ぐことができ、就寝者１１の頭部付近の清浄度は保護される。
【００４１】
なお、このエアカーテン２１状の清浄化気流１６を形成することによって、流速や圧力の高い、いわゆる大風量の強い清浄化気流１６が必要となくなるため、大風量の強い清浄化気流１６が当たって就寝者１１の睡眠が妨げられることなく、浮遊塵埃２２を頭部周囲から除去することができる。浮遊塵埃２２も半浮遊塵埃２３も就寝者１１の頭部周囲から除去されるため、例えば花粉などによるアレルギー反応を防止できる。
【００４２】
目のかゆみや、鼻水、鼻詰まりの喉の痛みやかゆみ、炎症といったいわゆるアレルギー反応は、浮遊塵埃２２や半浮遊塵埃２３が目に付着したり、鼻や口から吸引して反応を起こしたりすることが大半である。従って、エアカーテン２１状の清浄化気流１６により、頭部周囲や顔表面への浮遊塵埃２２や半浮遊塵埃を２３の侵入を防ぐことにより、アレルギー反応は、抑制することができる。そのため、就寝者１１は、就寝中にアレルギー反応を引き起こし、目が覚める、あるいは、寝付けない、寝苦しいといった状況を回避することができ、就寝者１１の快適性を向上することができる。
【００４３】
また気流清浄化手段１３ではフィルタ部品により塵埃を除去すると同時に湿度の加湿調整やマイナスイオンの付加や芳香の付加といった空質の調整が行われる。
【００４４】
フィルタ部品は、吸入した空気を清浄化するＨＥＰＡフィルタなどの高性能フィルタで構成されている。なお、本実施の形態では、ＨＥＰＡフィルタにより、高性能な塵埃を除去するフィルタを使用しているが、浮遊塵埃２２や半浮遊塵埃２３を除去し、清浄化空気を送風手段に送風すれればよく、他の原理や目の粗いフィルタを用いても構わないものであり、本実施の形態に限定されるものではない。
【００４５】
また、湿度の加湿調整やマイナスイオンの付加の空質の調整には、電圧印加によってイ
オンを発生するイオン発生機を本体部１０に内蔵している。このイオン発生機には、イオン発生または空気の湿度を加湿向上させる加湿機能を搭載している。
【００４６】
空気の加湿方法には、例えばペルチェ素子による加湿方法を利用し、水供給の手間を省いている構成となっている（図示しない）。また、芳香には、超音波方式で加湿を行う一般に市販されている製品（図示しない）で、清浄化気流１６に加湿、イオン付加、芳香成分追加し空質性能の向上を行うものである。
【００４７】
なお、本実施の形態では、イオン付加、加湿には、電圧によるイオン付加機能を搭載したイオン発生機、芳香成分追加には、超音波加湿機能を行ったが、本発明はこれに限定するものではなく、他の原理の加湿機能、イオン付加機能、芳香成分追加機能を使用し、構成しても構わないものである。
【００４８】
空質を調整された清浄化気流１６はカバー部１７の内部壁面を沿って流れる子により均層流化が進むが、カバー部１７によってカバー部１７の内部と外部の周囲空気が交じり合うことは防がれているため、カバー部１７の内部で清浄化気流１６空質が周囲の空気の状態に戻ることはない。
【００４９】
また、カバー部１７の開口面から流れ出た清浄化気流１６は流速の緩やかな層流気流１８となっているため、清浄化気流１６は就寝者１１の頭部周囲に長時間留まる。それによって就寝者１１の頭部周囲の空質は気流清浄化手段１３によって調整された清浄化気流１６の空質とほぼ同じになり、就寝者１１の快適性がより高められる。
【００５０】
続いて、就寝者１１は睡眠をとった後に目覚める。目覚めの瞬間は副交感神経が優位であるためアレルギー反応が過剰になるが、就寝者１１の頭部周囲は睡眠中から継続して清浄化され続けているため、アレルギー反応が起こることは無い。
【００５１】
従って、就寝者１１は、睡眠を阻害されること無く、熟睡をすることができ、はっきりと覚醒して、交感神経が優位となってから起き上がる。そのため、心地良く起き上がることができ、快適な生活を過ごす事ができる。
【００５２】
上記した実施の形態における構成は、必要に応じて適宜組み合わせて使用することができるものであり、実施の形態そのものの構成に限られるものではない。
【産業上の利用可能性】
【００５３】
以上のように、本発明にかかる空気清浄装置は気流によって局所的な空間を清浄化する装置に適用できる。
【符号の説明】
【００５４】
１  ベッド部
２  本体部
４  気流清浄化手段
５  吸い込み部
６  吹き出し部
７  清浄化気流
８  就寝者
１０  本体部
１１  就寝者
１２  送風手段
１３  気流清浄化手段
１４  吹き出し口
１５  吸い込み口
１６  清浄化気流
１７  カバー部
１９  天頂部
２０  底面側
２１  エアカーテン
２２  浮遊塵埃
２３  半浮遊塵埃
２４  カバー部天頂部
２５  布団
【図２】
2011242096.tif 000003
【図３】
2011242096.tif 000004
【図１】
2011242096.tif 000005